(57)【要約】【課題】バンドを用いて電線とプロテクタとを、より容易に固定することができる技術を提供することを目的とする。【解決手段】プロテクタ付電線１０は、電線１２が配設される配設面２２を含むプロテクタ２０と、前記配設面２２上に配設された少なくとも１本の電線１２と、バンド３０と、を備える。バンド３０は、前記電線１２が前記配設面２２に向けて押さえつけられるように前記電線１２の周囲に巻き付けられた状態で、少なくとも一端が溶融され前記プロテクタ２０に固定されている。【選択図】図１
2016136796.tif 000002
【特許請求の範囲】
【請求項１】
電線が配設される配設面を含むプロテクタと、
前記配設面上に配設された少なくとも１本の電線と、
前記電線が前記配設面に向けて押さえつけられるように前記電線の周囲に巻き付けられた状態で、少なくとも一端が溶融され前記プロテクタに固定されているバンドと、
を備える、プロテクタ付電線。
【請求項２】
請求項１に記載のプロテクタ付電線であって、
前記バンドは前記プロテクタに突設され、前記バンドの先端側部分が前記プロテクタに固定されている、プロテクタ付電線。
【請求項３】
請求項２に記載のプロテクタ付電線であって、
前記バンドは、前記配設面に対して傾斜する方向に延びるように設けられ、
前記プロテクタには、前記配設面に直交する方向から見て、前記バンドを投影した位置に型抜用孔が形成されている、プロテクタ付電線。
【請求項４】
請求項１〜請求項３のいずれか１項に記載のプロテクタ付電線であって、
前記プロテクタには電線側を向く内面からその反対側の外面にかけて貫くように貫通孔が形成され、
前記バンドのうち前記貫通孔に挿通された状態で前記プロテクタの前記外面より外側に延びる部分が固定されている、プロテクタ付電線。
【請求項５】
電線が配設される配設面を含むプロテクタに、バンドを用いて電線を固定したプロテクタ付電線の製造方法であって、
（ａ）前記プロテクタの配設面上に前記電線が配設されている状態で、前記電線の周囲にバンドを巻く工程と、
（ｂ）前記工程（ａ）の後で、前記バンドの一部を溶融し、前記プロテクタに固定させる工程と、
を備える、プロテクタ付電線の製造方法。
【請求項６】
請求項５に記載のプロテクタ付電線の製造方法であって、
前記プロテクタには電線側を向く内面からその反対側の外面にかけて貫くように貫通孔が形成され、
（ｃ）前記プロテクタを治具に固定する工程と、
（ｄ）前記工程（ａ）の後で、前記電線の周囲に巻回された前記バンドを前記貫通孔に挿通する工程と、
（ｅ）前記工程（ｃ）及び前記工程（ｄ）の後で、前記貫通孔に挿通された前記バンドの先端側部分を、前記治具のうち前記貫通孔の外側に位置する部分に設けられた加熱装置によって溶融する工程と、
をさらに備える、プロテクタ付電線の製造方法。
【発明の詳細な説明】
【技術分野】
【０００１】
この発明は、電線を保護するプロテクタに関する。
【背景技術】
【０００２】
車両に配設される電線を保護するために、電線を収容する態様で電線の周囲にプロテクタが取り付けられる場合がある。この場合、結束バンド等により電線とプロテクタとが固定されることがある。例えば、特許文献１には、プロテクタと一体に形成されたバンドで電線とプロテクタとを固定する技術が開示されている。
【０００３】
特許文献１に記載のプロテクタは、プロテクタの両端開口の近傍の内部で、プロテクタの断面略中央部に位置させる特定電線保持部を、プロテクタと一体あるいは着脱自在に取り付けると共に、前記特定電線保持部の外周に挿入配置する一般電線を結束するバンド部を、プロテクタと一体あるいは前記特定電線保持部と一体に設けたとされている。
【先行技術文献】
【特許文献】
【０００４】
【特許文献１】特開平８−３３１５６号公報
【発明の概要】
【発明が解決しようとする課題】
【０００５】
しかしながら、特許文献１のようにバンドを用いてプロテクタに電線を固定する場合、バンドを電線とプロテクタとの周囲に巻回したうえで、プロテクタの両側壁の間でバンド固定部に挿通し固定する作業は煩雑である恐れがあった。
【０００６】
そこで、本発明は、バンドを用いて電線とプロテクタとを、より容易に固定することができる技術を提供することを目的とする。
【課題を解決するための手段】
【０００７】
上記課題を解決するため、第１の態様に係るプロテクタ付電線は、電線が配設される配設面を含むプロテクタと、前記配設面上に配設された少なくとも１本の電線と、前記電線が前記配設面に向けて押さえつけられるように前記電線の周囲に巻き付けられた状態で、少なくとも一端が溶融され前記プロテクタに固定されているバンドと、を備える。
【０００８】
第２の態様に係るプロテクタ付電線は、第１の態様に係るプロテクタ付電線であって、前記バンドは前記プロテクタに突設され、前記バンドの先端側部分が前記プロテクタに固定されている。
【０００９】
第３の態様に係るプロテクタ付電線は、第２の態様に係るプロテクタ付電線であって、前記バンドは、前記配設面に対して傾斜する方向に延びるように設けられ、前記プロテクタには、前記配設面に直交する方向から見て、前記バンドを投影した位置に型抜用孔が形成されている。
【００１０】
第４の態様に係るプロテクタ付電線は、第１〜第３のいずれか１つの態様に係るプロテクタ付電線であって、前記プロテクタには電線側を向く内面からその反対側の外面にかけて貫くように貫通孔が形成され、前記バンドのうち前記貫通孔に挿通された状態で前記プロテクタの前記外面より外側に延びる部分が固定されている。
【００１１】
第５の態様に係るプロテクタ付電線の製造方法は、電線が配設される配設面を含むプロテクタに、バンドを用いて電線を固定したプロテクタ付電線の製造方法であって、（ａ）前記プロテクタの配設面上に前記電線が配設されている状態で、前記電線の周囲にバンドを巻く工程と、（ｂ）前記工程（ａ）の後で、前記バンドの一部を溶融し、前記プロテクタに固定させる工程と、を備える。
【００１２】
第６の態様に係るプロテクタ付電線の製造方法は、第５の態様に係るプロテクタ付電線の製造方法であって、前記プロテクタには電線側を向く内面からその反対側の外面にかけて貫くように貫通孔が形成され、（ｃ）前記プロテクタを治具に固定する工程と、（ｄ）前記工程（ａ）の後で、前記電線の周囲に巻回された前記バンドを前記貫通孔に挿通する工程と、（ｅ）前記工程（ｃ）及び前記工程（ｄ）の後で、前記貫通孔に挿通された前記バンドの先端側部分を、前記治具のうち前記貫通孔の外側に位置する部分に設けられた加熱装置によって溶融する工程と、をさらに備える。
【発明の効果】
【００１３】
第１〜第４の態様に係るプロテクタ付電線によると、電線が配設される配設面を含むプロテクタと、配設面上に配設された少なくとも１本の電線と、電線が配設面に向けて押さえつけられるように電線の周囲に巻き付けられた状態で、少なくとも一端が溶融されプロテクタに固定されているバンドと、を備えるため、バンドを用いて電線とプロテクタとを、より容易に固定することができる。
【００１４】
特に、第２の態様に係るプロテクタ付電線によると、バンドがプロテクタに突設され、バンドの先端側部分がプロテクタに固定されているため、部品点数を削減することができる。
【００１５】
特に、第３の態様に係るプロテクタ付電線によると、バンドは、配設面に対して傾斜する方向に延びるように設けられ、プロテクタには、配設面に直交する方向から見て、バンドを投影した位置に型抜用孔が形成されているため、金型を用いてプロテクタを成形する際に、金型を上下抜きすることができる。
【００１６】
特に、第４の態様に係るプロテクタ付電線によると、プロテクタには電線側を向く内面からその反対側の外面にかけて貫くように貫通孔が形成され、バンドのうち貫通孔に挿通された状態でプロテクタの外面より外側に延びる部分が固定されているため、バンドが溶融される際などに、電線が傷つくことを抑制することができる。
【００１７】
特に、第５の態様に係るプロテクタ付電線の製造方法によると、プロテクタの配設面上に電線が配設されている状態で、電線の周囲にバンドを巻く工程（ａ）と、工程（ａ）の後で、バンドの一部を溶融し、プロテクタに固定させる工程（ｂ）と、を備えるため、バンドを用いて電線とプロテクタとを、より容易に固定することができる。
【００１８】
特に、第６の態様に係るプロテクタ付電線の製造方法によると、プロテクタを治具に固定する工程（ｃ）と、工程（ａ）の後で、電線の周囲に巻回されたバンドを貫通孔に挿通する工程（ｄ）と、工程（ｃ）及び工程（ｄ）の後で、貫通孔に挿通されたバンドの先端側部分を、治具のうち貫通孔の外側に位置する部分に設けられた加熱装置によって溶融する工程（ｅ）と、をさらに備えるため、バンドを用いて電線とプロテクタとを、より容易に固定することができる。
【図面の簡単な説明】
【００１９】
【図１】実施形態に係るプロテクタ付電線を示す斜視図である。
【図２】実施形態に係るプロテクタ付電線を示す正面図である。
【図３】プロテクタを示す斜視図である。
【図４】プロテクタを示す正面図である。
【図５】プロテクタ付電線の製造方法の一製造工程を示す説明図である。
【図６】プロテクタ付電線の製造方法の一製造工程を示す説明図である。
【図７】プロテクタ付電線の製造方法の変形例の一製造工程を示す説明図である。
【図８】プロテクタ付電線の製造方法の変形例の一製造工程を示す説明図である。
【図９】プロテクタ付電線の製造方法の変形例の一製造工程を示す説明図である。
【発明を実施するための形態】
【００２０】
｛実施形態｝
以下、実施形態に係るプロテクタ付電線１０について説明する。図１は、実施形態に係るプロテクタ付電線１０を示す斜視図である。図２は、実施形態に係るプロテクタ付電線１０を示す正面図である。図３は、プロテクタ２０を示す斜視図である。図４は、プロテクタ２０を示す正面図である。
【００２１】
実施形態に係るプロテクタ付電線１０は、プロテクタ２０と、電線１２と、バンド３０とを備える。ここでは、バンド３０により、プロテクタ２０と電線１２とが固定されている。
【００２２】
プロテクタ２０には、電線１２が配設される。プロテクタ２０は、配設された電線１２を保護可能に形成されている。具体的には、プロテクタ２０は、電線１２が配設される配設面２２を含む。ここでは、プロテクタ２０は、側壁部２４をさらに含む。
【００２３】
配設面２２は、電線１２の配設経路に沿う形状に形成されている。当該配設面２２上に電線１２が配設される。ここでは、配設面２２は直線状に延在しているが、配設面２２は平面内で曲がる２次元状、又は平面に対して傾斜する方向に曲がる３次元状に延在している場合もあり得る。
【００２４】
側壁部２４は、配設面２２の幅方向端部に立設されている。ここでは、配設面２２の幅方向両端部に、側壁部２４ａ，２４ｂが、それぞれ立設されているが、側壁部は、配設面２２の幅方向一方側端部にのみ立設されている場合もあり得る。また、側壁部２４は、配設面２２に直交する方向に立設されているが、側壁部は、配設面２２に対して傾斜するように立設されている場合もあり得る。
【００２５】
電線１２は、配設面２２上に配設される。電線１２として、ここでは、複数本の電線１２が束ねられた電線束が用いられている。もっとも、電線１２は、少なくとも１本含まれていればよい。電線１２は、芯線の外周に樹脂が押出被覆等されることで被覆部が形成された構成とされている。電線１２の端部にはコネクタ等が設けられ、車両等の配設対象箇所に配設された状態で、車両等に搭載された各種電気機器同士を電気的に接続するものとして用いられる。なお、電線１２には、光ファイバ等が電線１２に沿って配設されていてもよい。
【００２６】
バンド３０は、長尺帯状に形成されている。バンド３０は、電線１２が配設面２２に向けて押さえつけられるように電線１２の周囲に巻き付けられた状態で、少なくとも一端が溶融されプロテクタ２０に固定されている。
【００２７】
ここでは、バンド３０はプロテクタ２０に突設されている。具体的には、バンド３０は、プロテクタ２０のうち配設面２２の一方側端部（ここでは、配設面２２と側壁部２４ａとの連結部分）から配設面２２に対して傾斜する方向に延びるように設けられている。バンド３０が配設面２２に対して傾斜する方向に延びるように設けられていることによって、バンド３０を配設面２２上に配設された電線１２に巻き付けやすくなる。また、バンド３０は、プロテクタ２０のうち電線１２を向く面側に延びるように形成されている。
【００２８】
バンド３０のうち長手寸法（プロテクタ２０からの突出寸法）、幅寸法及び厚み寸法は、電線１２を固定可能な範囲で適宜決定されていればよい。
【００２９】
また、プロテクタ２０とバンド３０とは、ここでは、樹脂等の同じ材料を用いて形成されているものとして説明するが、プロテクタ２０とバンド３０とは、異なる材料で形成されている場合もあり得る。プロテクタとバンドとが異なる材料で形成されている場合、例えば、バンドに用いられる材料の方が、プロテクタに用いられる材料よりも融点が低く設定されていることが考えられる。また、バンドのうち溶融される部分だけがプロテクタよりも融点が低い材料で形成されることなども考えられる。
【００３０】
さらに、ここでは、プロテクタ２０には電線１２側を向く内面からその反対側の外面にかけて貫くように貫通孔２６が形成されている。そして、バンド３０が貫通孔２６に挿通された状態で、バンド３０のうち貫通孔２６を通過し、プロテクタ２０の外面より外側に延びる先端側部分３０ａがプロテクタ２０に固定されている。
【００３１】
より具体的には、貫通孔２６は、配設面２２のうちバンド３０が突設されている部分の幅方向他方側端部（側壁部２４ｂ寄り）に形成されている。ここでは、貫通孔２６は、配設面２２に直交する方向から見て略方形状に形成されている。以降、貫通孔２６のうち配設面２２の長手方向に沿った方向を幅方向と称し、配設面２２の幅方向に沿った方向を高さ方向と称する。貫通孔２６の幅方向の寸法は、バンド３０の幅寸法と同じかそれよりも大きく（ここでは、若干大きく）設定されている。貫通孔２６の高さ寸法は、バンド３０の厚み寸法と同じかそれよりも大きく（ここでは、若干大きく）設定されている。
【００３２】
なお、ここでは、貫通孔２６の中心軸方向は、配設面２２の厚み方向と平行に設定されているが、配設面２２の厚み方向に対して傾斜する方向と平行に設定されている場合もあり得る。また、貫通孔は、側壁部２４に設けられていることも考えられる。
【００３３】
バンド３０の先端側部分３０ａは、溶融されることに起因する構成によってプロテクタ２０に固定されている。具体的には、バンド３０とプロテクタ２０とは、ここでは、以下のようにして固定されている。即ち、バンド３０の先端側部分３０ａがヒータ等の加熱装置７０で溶融される。ここでは、バンド３０の先端側部分３０ａのうち貫通孔２６を通過した部分が溶融される。そして、バンド３０が電線１２をきつく締付けている（バンド３０が配設面２２に向けて電線１２を押さえつけている）状態でバンド３０のうち溶融している部分がプロテクタ２０に当接される。この状態で、バンド３０が冷却されることにより、溶融している部分が固化し、バンド３０がプロテクタ２０に固着する。以上により、バンド３０がプロテクタ２０に固定され、以て、電線１２がプロテクタ２０に固定された状態となる。
【００３４】
もっとも、バンド３０のプロテクタ２０への固定構造は上記したものに限られない。例えば、バンドに溶融されることによって引掛け部が形成され、引掛け部が貫通孔に引っ掛かり係止することで、バンドがプロテクタに固定された状態となる構成が採用されてもよい。具体的には、バンドのうち貫通孔を通過した先端側部分３０ａが溶融されて貫通孔よりも大きい玉状又は板状等の形状に成形されるなどによって、貫通孔を通過不能な引掛け部が形成される。引掛け部は、バンドが電線１２をきつく締付けている状態を維持可能に形成されているとよい。
【００３５】
また、ここでは、バンド３０がプロテクタ２０に突設されるに当たり、プロテクタ２０には、配設面２２に直交する方向から見て、バンド３０を投影した位置に型抜用孔２８が形成されている。具体的には、型抜用孔２８はプロテクタ２０のうち配設面２２に形成されている。型抜用孔２８の大きさは、投影したバンド３０と同じかそれよりも大きく（ここでは、同じに）設定されている。プロテクタ２０に型抜用孔２８が形成されることで、金型等を用いてバンド３０とプロテクタ２０とを一体成型する場合に、バンド３０を配設面２２に対して傾斜させた場合でも、金型を上下抜きすることができる。
【００３６】
＜製造方法＞
次に、プロテクタ付電線１０の製造方法について説明する。図５及び図６は、プロテクタ付電線１０の製造方法の一製造工程を示す説明図である。
【００３７】
プロテクタ付電線１０の製造方法は、電線１２が配設される配設面２２を含むプロテクタ２０に、バンド３０を用いて電線１２を固定するものである。
【００３８】
まずは、プロテクタ２０の配設面２２上に電線１２が配設されている状態で、電線１２の周囲にバンド３０を巻く（工程（ａ））。
【００３９】
具体的には、ここでは、一端がプロテクタ２０に連なるバンド３０の他端を、配設面２２上に配設された電線１２の周囲に巻く。この際、プロテクタ２０には、貫通孔２６が形成されているため、バンド３０を先端から貫通孔２６に挿通していく。
【００４０】
続いて、工程（ａ）の後で、バンド３０の一部を溶融し、プロテクタ２０に固定させる（工程（ｂ））。
【００４１】
具体的には、バンド３０のうち貫通孔２６を通過した部分を加熱装置７０等で溶融する。加熱装置７０としては、例えば、半田ごてのような対象に接触して加熱する接触式の加熱装置又はヒータ等の対象と接触せずとも加熱可能な非接触式の加熱装置等を採用することができる。ここでは、対象に接触して加熱する接触式の加熱装置であって作業者が対象に対して移動可能な半田鏝のような鏝先を加熱可能な鏝を採用しているものとして説明する。
【００４２】
鏝でバンド３０のうち貫通孔２６を通過した部分を溶融させたら、溶融している部分をプロテクタ２０の外面（ここでは、配設面２２の外面）に当接させる。この際、バンド３０が電線１２をきつく締付けた状態で溶融部分をプロテクタ２０に当接させる。そして、溶融している部分がプロテクタ２０の外面に当接している状態で、溶融している部分を冷却する。冷却方法としては、自然冷却でもよいし、空冷又は水冷等の冷却機構を採用してもよい。ここでは、自然冷却で冷却しているものとして説明する。
【００４３】
バンド３０のうち溶融している部分は、冷却されるに従い、固化する。この際、バンド３０のうち溶融していた部分がプロテクタ２０の外面に当接した状態で冷却され固化することで、バンド３０のうち固化した部分は、プロテクタ２０の外面に固着する。これにより、バンド３０が電線１２の周囲に巻き付けられた状態でプロテクタ２０に固定されることによって、電線１２とプロテクタ２０とがバンド３０によって固定された状態となる。
【００４４】
なお、ここでは、バンド３０のうち貫通孔２６を通過した部分全体が溶融されるものとして説明するが、鏝を用いてバンド３０を溶融させる際、バンド３０のうち溶融される部分は貫通孔２６を通過した部分であればどこであっても構わない。例えば、バンドのうち貫通孔２６を通過した部分の貫通孔２６寄り部分が溶融され、プロテクタ２０に固定された後、固定された部分よりも先端部分が切除されてもよい。
【００４５】
また、ここでは、溶融部分が配設面２２の外面に固定されるものとして説明したが、溶融部分が溶融状態で貫通孔２６に入り込み貫通孔２６内で固化することでプロテクタ２０に固定される場合もあり得る。また、溶融部分はプロテクタ２０のうち側壁部２４の外面に固定される場合もあり得る。
【００４６】
実施形態に係るプロテクタ付電線１０によると、電線１２が配設される配設面２２を含むプロテクタ２０と、配設面２２上に配設された少なくとも１本の電線１２と、電線１２が配設面２２に向けて押さえつけられるように電線１２の周囲に巻き付けられた状態で、少なくとも一端が溶融されプロテクタ２０に固定されているバンド３０と、を備えるため、バンド３０を用いて電線１２とプロテクタ２０とを、より容易に固定することができる。
【００４７】
また、バンド３０がプロテクタ２０に突設され、バンド３０の先端側部分３０ａがプロテクタ２０に固定されているため、部品点数を削減することができる。
【００４８】
また、バンド３０は、配設面２２に対して傾斜する方向に延びるように設けられ、プロテクタ２０には、配設面２２に直交する方向から見て、バンド３０を投影した位置に型抜用孔２８が形成されているため、金型を用いてプロテクタ２０を成形する際に、金型を上下抜きすることができる。
【００４９】
また、プロテクタ２０には電線１２側を向く内面からその反対側の外面にかけて貫くように貫通孔２６が形成され、バンド３０のうち貫通孔２６に挿通された状態でプロテクタ２０の外面より外側に延びる部分が固定されているため、バンド３０が溶融される際などに、電線１２が傷つくことを抑制することができる。
【００５０】
また、実施形態に係るプロテクタ付電線１０の製造方法によると、プロテクタ２０の配設面２２上に電線１２が配設されている状態で、電線１２の周囲にバンド３０を巻く工程（ａ）と、工程（ａ）の後で、バンド３０の一部を溶融し、プロテクタ２０に固定させる工程（ｂ）と、を備えるため、バンド３０を用いて電線１２とプロテクタ２０とを、より容易に固定することができる。
【００５１】
特に、結束バンドを用いてプロテクタと電線とを固定する場合に比べて、結束バンドを固定したあと先端の余剰部分をカットする作業を省略することができ、工数の削減を図ることができる。また、貫通孔２６が形成される場合、貫通孔２６をバンド３０と同程度の大きさにする必要及び貫通孔２６内に係止構造を設ける必要がないことによって、結束バンドをバンド固定用の孔に挿通させる作業に比べてバンド３０の貫通孔２６への挿通作業が容易になる。また、貫通孔２６の内周面にバンド３０を係止させる構造を設ける必要がないため、金型の形状を簡易なものにすることができる。
【００５２】
｛製造方法の変形例｝
次に、プロテクタ付電線１０の製造方法の変形例について説明する。図７〜図９は、プロテクタ付電線１０の製造方法の変形例の一製造工程を示す説明図である。なお、本変形例の説明において、実施形態で説明したものと同様構成要素については同一符号を付してその説明を省略する。
【００５３】
変形例に係るプロテクタ付電線１０の製造方法は、電線１２を配設する際に、プロテクタ２０を治具８０に固定すると共に治具８０に加熱装置７０が設けられている点で、実施形態に係るプロテクタ付電線１０の製造方法とは異なる。
【００５４】
具体的には、治具８０は、例えば、組立図板上に固定されている。治具８０は、プロテクタ２０を固定可能な固定面８１を有する。固定面８１は、例えば、プロテクタ２０の外面に沿う形状に形成される。当該固定面８１のうち、プロテクタ２０が固定された状態で、貫通孔２６の外側に位置する部分に加熱装置７０が設けられている。
【００５５】
ここでは、加熱装置７０はプロテクタ２０に当接しないように治具８０に設けられている。より詳細には、固定面８１のうち貫通孔２６の外側に位置する部分に他方側主面に向けて凹む態様で凹部８２が形成されている。当該凹部８２の底部から加熱装置７０の加熱部が露出するように、加熱装置７０が治具８０に組み込まれている。
【００５６】
凹部８２は、ここでは、その開口が貫通孔２６の開口よりも大きく設定されている。この際、ここでは、凹部の底部から開口に向かって徐々に径が大きくなるように設定されている。また、凹部８２の体積は、溶融されるバンド３０の体積と同じかそれよりも小さく（ここでは、若干小さく）設定されている。
【００５７】
当該治具８０を用いてプロテクタ付電線１０を製造するに当たり、まずは、プロテクタ２０を治具８０に固定する（工程（ｃ））。具体的には、貫通孔２６の位置と加熱装置７０の位置とが合うようにプロテクタ２０を治具８０に固定する。
【００５８】
次に、プロテクタ２０の配設面２２上に電線１２が配設されている状態で、電線１２の周囲にバンド３０を巻く（工程（ａ））と共に、電線１２の周囲に巻回されたバンド３０を貫通孔２６に挿通する（工程（ｄ））。なお、工程（ａ）及び工程（ｄ）は、工程（ｃ）の前に行われることもあり得る。
【００５９】
次に、貫通孔２６に挿通されたバンド３０の先端側部分３０ａを、治具８０のうち貫通孔２６の外側に位置する部分に設けられた加熱装置７０によって溶融し（工程（ｅ））、プロテクタ２０に固定させる（工程（ｂ））。
【００６０】
具体的には、ここでは、バンド３０のうち貫通孔２６を通過した先端は、図８に示されるように、凹部８２から露出している加熱装置７０の加熱部に当接し、溶融される。バンド３０の先端が溶融することで、バンド３０のうち先端より基端側に位置する溶融していない部分をさらに加熱部に送り込み、当接させ、溶融させることができる。この際、先に溶融された部分は、後から送り込まれるバンド３０の影響等により、溶融位置からその周辺に順次移動する。これを繰り返すことで、バンド３０が電線１２をきつく締付けるまで、バンド３０を加熱部に送り込み、溶融させることができる。
【００６１】
図９に示されるように、バンド３０が電線１２をきつく締付けるようになったら、加熱をやめ、溶融している部分を自然冷却等の方法により冷却する。ここでは、プロテクタ２０に対して凹部８２が鉛直方向下方に位置するため、溶融している部分は凹部８２にたまる。ここでは、凹部８２の体積が溶融量よりも若干小さく設定されているとともに、凹部８２の開口が貫通孔２６の開口よりも大きく設定されているため、凹部にたまっている溶融部分がプロテクタ２０の外面に当接して固化する。これにより、溶融した部分がプロテクタ２０の外面に固着し、バンド３０がプロテクタ２０に固定される。
【００６２】
なお、溶融部分が固化した後の最終的な形状は、図９では半球状としているが、これに限られるものではない。溶融部分が固化した後の最終的な形状は、重力の影響、表面張力の影響、凹部８２の形状、及び周辺部材との親和性等に従い決定される。
【００６３】
また、凹部の体積がバンド３０の溶融量よりも大きく設定されるとともに、凹部の開口が貫通孔２６の開口よりも大きく設定された場合、凹部にたまる溶融部分が開口よりも大きい玉状等の状態で固化する。この場合、固化した部分は引掛け部として機能する。また、凹部８２が設けられない場合などには、溶融した部分が貫通孔２６内にたまり、貫通孔２６内でプロテクタ２０に固着する。
【００６４】
変形例に係るプロテクタ付電線１０の製造方法によっても、実施形態に係るプロテクタ付電線１０の製造方法と同様の効果を得ることができる。
【００６５】
さらに、変形例に係るプロテクタ付電線１０の製造方法によると、プロテクタ２０を治具８０に固定する工程（ｃ）と、工程（ａ）の後で、電線１２の周囲に巻回されたバンド３０を貫通孔２６に挿通する工程（ｄ）と、工程（ｃ）及び工程（ｄ）の後で、貫通孔２６に挿通されたバンド３０の先端側部分３０ａを、治具８０のうち貫通孔２６の外側に位置する部分に設けられた加熱装置７０によって溶融する工程（ｅ）と、をさらに備えるため、バンド３０を用いて電線１２とプロテクタ２０とを、より容易に固定することができる。
【００６６】
｛プロテクタ２０の変形例｝
上記実施形態においては、プロテクタ２０とバンド３０とが一体に成形されているものとして説明したが、プロテクタとバンドとは別体であることも考えられる。この場合、バンドの両端が溶融されることによりプロテクタに固定されていてもよい。また、バンドの一端のみが溶融されることによりプロテクタに固定され、他端は、プロテクタとバンドとに設けられたロック構造等によりプロテクタに固定されていてもよい。
【００６７】
また、バンド３０とプロテクタ２０とが一体に成形されている場合でも、プロテクタ２０に型抜用孔２８が形成されていることは必須ではなく、プロテクタに型抜用孔２８が形成されていない場合もあり得る。この場合、バンドが配設面に直交する方向に延びるように設けられることで、金型の上下抜きに対応可能となる。また、上下方向以外の第３の方向に金型を抜くことで、バンドが配設面に対して傾斜する方向に延びるようにバンドを設けることができる。
【００６８】
また、プロテクタ２０に貫通孔２６が形成されていることは必須ではなく、プロテクタに貫通孔が形成されていない場合もあり得る。この場合、バンドは、プロテクタのうち電線１２側を向く内面に融着等の方法により固定されている構成等が考えられる。
【００６９】
なお、上記各実施形態及び各変形例で説明した各構成は、相互に矛盾しない限り適宜組み合わせることができる。
【００７０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７１】
１０  プロテクタ付電線
１２  電線
２０  プロテクタ
２２  配設面
２６  貫通孔
２８  型抜用孔
３０  バンド
７０，７０Ａ  加熱装置
８０  治具
【図１】
2016136796.tif 000003
【図２】
2016136796.tif 000004
【図３】
2016136796.tif 000005
【図４】
2016136796.tif 000006
【図５】
2016136796.tif 000007
【図６】
2016136796.tif 000008
【図７】
2016136796.tif 000009
【図８】
2016136796.tif 000010
【図９】
2016136796.tif 000011